(57)【要約】【課題】例えば、台風等によって強い風雨が予想され、物が飛んできて、窓ガラスが割れるような事態が予想される場合には、サッシの外側に、雨戸を形成し、窓ガラスが割れるといった事態が生じるのを防止する一方、雨戸が不要な際には、雨戸を取り去り、雨戸の無い窓を、雨戸が無い窓として使用可能な窓や網戸等のサッシの外側に設ける、嵌め込み式の雨戸様の保護手段を提供する。【解決手段】サッシ４の一対の縦枠部４ａ、４ａの外側に設けられる、一対の枠体２ａ、２ｂと、一対の枠体２ａ、２ｂの間に嵌め込むようにして用いる、複数の板体３・・・とを備える。【選択図】図１
2007051468.tif 000002
【特許請求の範囲】
【請求項１】
サッシの外側に設けられた、窓や網戸等の雨戸様の保護手段であって、
前記サッシの一対の縦枠部の外側に設けられる、一対の枠体と、
前記一対の枠体の間に嵌め込むようにして用いる、複数の板体とを備え、
前記一対の枠体の各々は、平面視した場合、略コの字形状を有しており、前記サッシの一対の縦枠部の外側に、各々の開口部を互いに向き合うように取り付けられており、
前記複数の板体の各々は、前記一対の枠体の各々の、平面視した場合、略コの字形状の凹部の幅に等しいかそれよりやや小さい厚さになっており、
前記サッシに取り付けられた、窓や網戸等を保護する際には、前記一対の枠体の各々の、平面視した場合、略コの字形状の凹部に、前記複数の板体を嵌め込むことで、窓や網戸等の雨戸様の保護手段を形成する、雨戸様の保護手段。
【請求項２】
前記一対の枠体を、前記サッシの外側に後付け的に取り付ける、請求項１に記載の雨戸様の保護手段。
【請求項３】
前記一対の枠体の少なくとも一方の枠体に、前記一対の枠体の各々の、平面視した場合、略コの字形状の凹部に、前記複数の板体を嵌め込むための切り欠き部を有する、請求項１又は請求項２に記載の雨戸様の保護手段。
【請求項４】
サッシの外側に設けられた、窓や網戸等の雨戸様の保護手段であって、
前記サッシの一対の縦枠部の外側に設けられる、一対の枠体と、
前記サッシの中央部の外側に設けられる、中央枠体と、
前記一対の枠体の一方の枠体と、前記中央枠体の一方の面との間に嵌め込むようにして用いる、複数の板体と、
前記一対の枠体の他方の枠体と、前記中央枠体の他方の面との間に嵌め込むようにして用いる、複数の板体とを備え、
前記一対の枠体の各々は、平面視した場合、略コの字形状を有しており、前記サッシの一対の縦枠部の外側に、各々の開口部を互いに向き合うように取り付けられており、
前記中央枠体は、平面視した場合、前記中央枠体の一方の面及び他方の面に開口部を有する略H字形状になっており、
前記一対の枠体の一方の枠体と、前記中央枠体の一方の面との間に嵌め込むようにして用いる、複数の板体の各々は、前記一対の枠体の一方の枠体の、平面視した場合、略コの字形状の凹部の幅に等しいかそれよりやや小さい厚さ、且つ、前記中央枠体の、平面視した場合、略Ｈ字形状の一方の面の開口部の幅に等しいかそれよりやや小さい厚さになっており、
前記一対の枠体の他方の枠体と、前記中央枠体の他方の面との間に嵌め込むようにして用いる、複数の板体の各々は、前記一対の枠体の他方の枠体の、平面視した場合、略コの字形状の凹部の幅に等しいかそれよりやや小さい厚さ、且つ、前記中央枠体の、平面視した場合、略Ｈ字形状の他方の面の開口部の幅に等しいかそれよりやや小さい厚さになっており、
前記サッシに取り付けられた、窓や網戸等を保護する際には、
前記一対の枠体の一方の枠体の、平面視した場合、略コの字形状の凹部と、前記中央枠体の、平面視した場合、略Ｈ字形状の一方の面の開口部内に、前記一対の枠体の一方の枠体と、前記中央枠体の一方の面との間に嵌め込むようにして用いる、複数の板体の各々を嵌め込み、且つ、
前記一対の枠体の他方の枠体の、平面視した場合、略コの字形状の凹部と、前記中央枠体の、平面視した場合、略Ｈ字形状の他方の面の開口部内に、前記一対の枠体の他方の枠体と、前記中央枠体の他方の面との間に嵌め込むようにして用いる、複数の板体の各々を嵌め込むことで、窓や網戸等の雨戸様の保護手段を形成する、雨戸様の保護手段。
【請求項５】
少なくとも、前記中央枠体を、前記サッシの外側に後付け的に取り付ける、請求項４に記載の雨戸様の保護手段。
【請求項６】
前記一対の枠体の一方の枠体又は前記中央枠体の一方の少なくとも一方の面に、前記一対の枠体の一方の枠体と、前記中央枠体の一方の面との間に嵌め込むようにして用いる、複数の板体の各々を嵌め込むための切り欠き部を有し、且つ、
前記一対の枠体の他方の枠体又は前記中央枠体の他方の少なくとも一方の面に、前記一対の枠体の他方の枠体と、前記中央枠体の他方の面との間に嵌め込むようにして用いる、複数の板体の各々を嵌め込むための切り欠き部を有する、請求項４又は請求項５のいずれかに記載の雨戸様の保護手段。
【請求項７】
前記中央枠体は、
外枠体部と、
内枠体部とを備え、
前記内枠体部は、前記外枠体部内に、摺動可能にされており、前記外枠体部から外方に伸びるように又は前記外枠体部内に収容できるようにされており、
前記中央枠体は、その上端に、前記サッシの上部レール枠に嵌合する嵌合手段と、その下端に、サッシの下部レール枠に嵌合する嵌合手段とを備える、請求項４〜請求項６のいずれかに記載の雨戸様の保護手段。
【請求項８】
前記中央枠体は、
外枠体部と、内枠体部とを備える、中央枠体本体と、
前記サッシの上部レール枠及び下部レール枠の各々に取り付ける取付部材とを備え、
前記サッシの上部レール枠及び下部レール枠の各々に取り付ける取付部材の各々は、嵌合孔を有し、
前記中央枠体本体の、前記内枠体部は、前記外枠体部内に、摺動可能にされており、前記外枠体部から外方に伸びるように又は前記外枠体部内に収容できるようにされており、
前記中央枠体本体は、その上端に、前記サッシの上部レール枠に取り付けた取付部材に嵌合する嵌合突起と、その下端に、前記サッシの下部レール枠に取り付けた取付部材に嵌合する嵌合突起とを備える、請求項４〜請求項６のいずれかに記載の雨戸様の保護手段。
【請求項９】
サッシの外側に設けられた、窓や網戸等の雨戸様の保護手段であって、
前記サッシの一対の縦枠部の外側に設けられる、一対の枠体と、
前記サッシの一対の縦枠部の間の外側に設けられる、複数個の中間枠体と、
前記一対の枠体の一方の枠体と、前記複数個の中間枠体の中、前記一対の枠体の一方の枠体に隣り合う中間枠体の一方の面との間に嵌め込むようにして用いる、複数の板体と、
前記複数個の中間枠体間の各々に嵌め込むようにして用いる、複数の板体と、
前記一対の枠体の他方の枠体と、前記複数個の中間枠体の中、前記一対の枠体の他方の枠体に隣り合う中間枠体の他方の面との間に嵌め込むようにして用いる、複数の板体とを備え、
前記一対の枠体の各々は、平面視した場合、略コの字形状を有しており、前記サッシの一対の縦枠部の外側に、各々の開口部を互いに向き合うように取り付けられており、
前記複数個の中間枠体の各々は、平面視した場合、前記複数個の中間枠体の各々の一方の面及び他方の面に開口部を有する略H字形状になっており、
前記一対の枠体の一方の枠体と、前記複数個の中間枠体の中、前記一対の枠体の一方の枠体に隣り合う中間枠体の一方の面との間に嵌め込むようにして用いる、複数の板体の各々の幅は、前記一対の枠体の一方の枠体の、平面視した場合、略コの字形状の凹部の幅に等しいかそれよりやや小さい厚さ、且つ、前記複数個の中間枠体の中、前記一対の枠体の一方の枠体に隣り合う中間枠体の、平面視した場合、略Ｈ字形状の一方の面の開口部の幅に等しいかそれよりやや小さい厚さになっており、
前記複数個の中間枠体間の各々に嵌め込むようにして用いる、複数の板体の各々の幅は、前記複数個の中間枠体の各々の、平面視した場合、略Ｈ字形状の、互いに、対向配置される、一方の面の開口部及び他方の面の開口部の幅に等しいかそれよりやや小さい厚さになっており、
前記一対の枠体の他方の枠体と、前記複数個の中間枠体の中、前記一対の枠体の他方の枠体に隣り合う中間枠体の、他方の面との間に嵌め込むようにして用いる、複数の板体の各々の幅は、前記一対の枠体の他方の枠体の、平面視した場合、略コの字形状の凹部の幅に等しいかそれよりやや小さい厚さ、且つ、前記複数個の中間枠体の中、前記一対の枠体の他方の枠体に隣り合う中間枠体の、平面視した場合、略Ｈ字形状の他方の面の開口部の幅に等しいかそれよりやや小さい厚さになっており、
前記サッシに取り付けられた、窓や網戸等を保護する際には、前記一対の枠体の一方の枠体の、平面視した場合、略コの字形状の凹部と、前記複数個の中間枠体の中、前記一対の枠体の一方の枠体に隣り合う中間枠体の、平面視した場合、略Ｈ字形状の一方の面の開口部内に、前記一対の枠体の一方の枠体と、前記複数個の中間枠体の中、前記一対の枠体の一方の枠体に隣り合う中間枠体の一方の面との間に嵌め込むようにして用いる、複数の板体の各々を嵌め込み、
前記複数個の中間枠体の各々の、互いに隣り合う関係にある、平面視した場合、略Ｈ字形状の、互いに、対向配置される、一方の開口部及び他方の開口部内に、前記複数個の中間枠体間の各々に嵌め込むようにして用いる、複数の板体の各々を嵌め込み、且つ、
前記一対の枠体の他方の枠体の、平面視した場合、略コの字形状の凹部と、前記複数個の中間枠体の中、前記一対の枠体の他方の枠体に隣り合う中間枠体の、平面視した場合、略Ｈ字形状の他方の面の開口部内に、前記一対の枠体の他方の枠体と、前記複数個の中間枠体の中、前記一対の枠体の他方の枠体に隣り合う中間枠体の他方の面との間に嵌め込むようにして用いる、複数の板体の各々を嵌め込むことで、窓や網戸等の雨戸様の保護手段を形成する、雨戸様の保護手段。
【請求項１０】
少なくとも、前記複数個の中間枠体の各々を、前記サッシの外側に後付け的に取り付ける、請求項９に記載の雨戸様の保護手段。
【請求項１１】
前記一対の枠体の一方の枠体の、平面視した場合、略コの字形状の凹部及び前記複数個の中間枠体の中、前記一対の枠体の一方の枠体に隣り合う中間枠体に対向する面の、少なくとも、一方に、前記一対の枠体の一方の枠体と、前記複数個の中間枠体の中、前記一対の枠体の一方の枠体に隣り合う中間枠体の一方の面との間に嵌め込むようにして用いる、複数の板体の各々を嵌め込むための切り欠き部を有し、
前記複数個の中間枠体の中、相隣り合う中間枠体の互いに対向する中間枠体の一方面と他方の面の少なくとも一方に、前記複数個の中間枠体間の各々に嵌め込むようにして用いる、複数の板体の各々を嵌め込むための切り欠き部を有し、且つ、
前記一対の枠体の他方の枠体の、平面視した場合、略コの字形状の凹部及び前記複数個の中間枠体の中、前記一対の枠体の他方の枠体に隣り合う中間枠体に対向する面の、少なくとも、一方に、前記一対の枠体の他方の枠体と、前記複数個の中間枠体の中、前記一対の枠体の他方の枠体に隣り合う中間枠体の一方の面との間に嵌め込むようにして用いる、複数の板体の各々を嵌め込むための切り欠き部を有する、請求項９又は請求項１０に記載の雨戸様の保護手段。
【請求項１２】
前記複数個の中間枠体の各々は、
外枠体部と、
内枠体部とを備え、
前記内枠体部は、前記外枠体部内に、摺動可能にされており、前記外枠体部から外方に伸びるように又は前記外枠体部内に収容できるようにされており、
前記複数個の中間枠体の各々は、その上端に、前記サッシの上部レール枠に嵌合する嵌合手段と、その下端に、前記サッシの下部レール枠に嵌合する嵌合手段とを備える、請求項９〜請求項１１のいずれかに記載の雨戸様の保護手段。
【請求項１３】
前記複数個の中間枠体の各々は、
外枠体部と、内枠体部とを備える、中間枠体本体と、
前記サッシの上部レール枠及び下部レール枠の各々に取り付ける取付部材とを備え、
前記サッシの上部レール枠及び下部レール枠の各々に取り付ける取付部材の各々は、嵌合孔を有し、
前記中間枠体本体の各々の、前記内枠体部は、前記外枠体部内に、摺動可能にされており、前記外枠体部から外方に伸びるように又は前記外枠体部内に収容できるようにされており、
前記複数個の中間枠体本体の各々は、その上端に、前記サッシの上部レール枠に取り付けた取付部材に嵌合する嵌合突起と、その下端に、前記サッシの下部レール枠に取り付けた取付部材に嵌合する嵌合突起とを備える、請求項９〜請求項１１のいずれかに記載の雨戸様の保護手段。
【請求項１４】
請求項１〜１３のいずれかの雨戸様の保護手段で使用する、前記複数の板体を収容する収容部と、
前記収容部に対し、着脱自在に設けられた上蓋体とを備え、且つ、
その上蓋体の上面を、縁又は長椅子等の用途に使用する、収容ボックス。
【発明の詳細な説明】
【技術分野】
【０００１】
本発明は、雨戸用の保護手段に関し、特に、窓や網戸等のサッシの外側に設ける、嵌め込み式の雨戸様の保護手段に関する。
【背景技術】
【０００２】
窓や網戸等の開閉には、サッシが、一般的に用いられている。
【０００３】
また、近時、デザイン上その他の理由から、雨戸の無い窓も多くなってきている。
【０００４】
しかしながら、雨戸の無い窓には、台風等によって強い風雨が予想される場合、物が飛んできて、窓ガラスが割れるといった問題がある。
【０００５】
かかる問題を解決する技術としては、例えば、サッシ枠へ後付けで雨戸ユニットを取り付けるような技術が提案されている。
【特許文献１】特開２０００−１１０４５８号公報
【発明の開示】
【発明が解決しようとする課題】
【０００６】
しかしながら、サッシ枠へ後付けの雨戸ユニットは、一旦、これを取り付けると、サッシ枠に、雨戸（折り畳み式雨戸）が取り付けられた状態になり、雨戸が不要な際にも、雨戸がサッシ枠に取り付けられた状態になるため、見栄えが悪い、といったような問題がある。
【０００７】
本発明は、上記した問題を解決するためになされたものであって、例えば、台風等によって強い風雨が予想され、物が飛んできて、窓ガラスが割れるような事態が予想される場合には、サッシの外側に、雨戸を形成し、窓ガラスが割れるといった事態が生じるのを防止する一方、雨戸が不要な際には、雨戸を取り去り、雨戸の無い窓を、雨戸が無い窓として使用可能な窓や網戸等のサッシの外側に設ける、嵌め込み式の雨戸様の保護手段を提供することを目的としている。
【課題を解決するための手段】
【０００８】
請求項１に記載の雨戸様の保護手段は、サッシの外側に設けられた、窓や網戸等の雨戸様の保護手段であって、サッシの一対の縦枠部の外側に設けられる、一対の枠体と、一対の枠体の間に嵌め込むようにして用いる、複数の板体とを備え、一対の枠体の各々は、平面視した場合、略コの字形状を有しており、サッシの一対の縦枠部の外側に、各々の開口部を互いに向き合うように取り付けられており、  複数の板体の各々は、一対の枠体の各々の、平面視した場合、略コの字形状の凹部の幅に等しいかそれよりやや小さい厚さになっており、サッシに取り付けられた、窓や網戸等を保護する際には、一対の枠体の各々の、平面視した場合、略コの字形状の凹部に、前記複数の板体を嵌め込むことで、窓や網戸等の雨戸様の保護手段を形成する。
【０００９】
請求項２に記載の雨戸様の保護手段は、請求項１に記載の雨戸様の保護手段の、一対の枠体を、サッシの外側に後付け的に取り付ける。
【００１０】
請求項３に記載の雨戸様の保護手段は、請求項１又は請求項２に記載の雨戸様の保護手段の、一対の枠体の少なくとも一方の枠体に、一対の枠体の各々の、平面視した場合、略コの字形状の凹部に、前記複数の板体を嵌め込むための切り欠き部を有する。
【００１１】
請求項４に記載の雨戸様の保護手段は、サッシの外側に設けられた、窓や網戸等の雨戸様の保護手段であって、サッシの一対の縦枠部の外側に設けられる、一対の枠体と、サッシの中央部の外側に設けられる、中央枠体と、一対の枠体の一方の枠体と、中央枠体の一方の面との間に嵌め込むようにして用いる、複数の板体と、一対の枠体の他方の枠体と、中央枠体の他方の面との間に嵌め込むようにして用いる、複数の板体とを備え、一対の枠体の各々は、平面視した場合、略コの字形状を有しており、サッシの一対の縦枠部の外側に、各々の開口部を互いに向き合うように取り付けられており、中央枠体は、平面視した場合、中央枠体の一方の面及び他方の面に開口部を有する略Ｈ字形状になっており、一対の枠体の一方の枠体と、中央枠体の一方の面との間に嵌め込むようにして用いる、複数の板体の各々は、一対の枠体の一方の枠体の、平面視した場合、略コの字形状の凹部の幅に等しいかそれよりやや小さい厚さ、且つ、中央枠体の、平面視した場合、略Ｈ字形状の一方の面の開口部の幅に等しいかそれよりやや小さい厚さになっており、一対の枠体の他方の枠体と、中央枠体の他方の面との間に嵌め込むようにして用いる、複数の板体の各々は、一対の枠体の他方の枠体の、平面視した場合、略コの字形状の凹部の幅に等しいかそれよりやや小さい厚さ、且つ、中央枠体の、平面視した場合、略Ｈ字形状の他方の面の開口部の幅に等しいかそれよりやや小さい厚さになっており、サッシに取り付けられた、窓や網戸等を保護する際には、一対の枠体の一方の枠体の、平面視した場合、略コの字形状の凹部と、中央枠体の、平面視した場合、略Ｈ字形状の一方の面の開口部内に、一対の枠体の一方の枠体と、中央枠体の一方の面との間に嵌め込むようにして用いる、複数の板体の各々を嵌め込み、且つ、一対の枠体の他方の枠体の、平面視した場合、略コの字形状の凹部と、中央枠体の、平面視した場合、略Ｈ字形状の他方の面の開口部内に、一対の枠体の他方の枠体と、中央枠体の他方の面との間に嵌め込むようにして用いる、複数の板体の各々を嵌め込むことで、窓や網戸等の雨戸様の保護手段を形成する。
【００１２】
請求項５に記載の雨戸様の保護手段は、請求項４に記載の雨戸様の保護手段の、少なくとも、中央枠体を、サッシの外側に後付け的に取り付ける。
【００１３】
請求項６に記載の雨戸様の保護手段は、請求項４又は請求項５に記載の雨戸様の保護手段の、一対の枠体の一方の枠体又は中央枠体の一方の少なくとも一方の面に、一対の枠体の一方の枠体と、中央枠体の一方の面との間に嵌め込むようにして用いる、複数の板体の各々を嵌め込むための切り欠き部を有し、且つ、一対の枠体の他方の枠体又は中央枠体の他方の少なくとも一方の面に、一対の枠体の他方の枠体と、中央枠体の他方の面との間に嵌め込むようにして用いる、複数の板体の各々を嵌め込むための切り欠き部を有する。
【００１４】
請求項７に記載の雨戸様の保護手段は、請求項４〜請求項６のいずれかに記載の雨戸様の保護手段の、中央枠体は、外枠体部と、内枠体部とを備え、内枠体部は、外枠体部内に、摺動可能にされており、外枠体部から外方に伸びるように又は外枠体部内に収容できるようにされており、  中央枠体は、その上端に、サッシの上部レール枠に嵌合する嵌合手段と、その下端に、サッシの下部レール枠に嵌合する嵌合手段とを備える。
【００１５】
請求項８に記載の雨戸様の保護手段は、請求項４〜請求項６のいずれかに記載の雨戸様の保護手段の、中央枠体は、外枠体部と、内枠体部とを備える、中央枠体本体と、サッシの上部レール枠及び下部レール枠の各々に取り付ける取付部材とを備え、サッシの上部レール枠及び下部レール枠の各々に取り付ける取付部材の各々は、嵌合孔を有し、中央枠体本体の、内枠体部は、外枠体部内に、摺動可能にされており、外枠体部から外方に伸びるように又は前記外枠体部内に収容できるようにされており、中央枠体本体は、その上端に、サッシの上部レール枠に取り付けた取付部材に嵌合する嵌合突起と、その下端に、サッシの下部レール枠に取り付けた取付部材に嵌合する嵌合突起とを備える。
【００１６】
請求項９に記載の雨戸様の保護手段は、サッシの外側に設けられた、窓や網戸等の雨戸様の保護手段であって、サッシの一対の縦枠部の外側に設けられる、一対の枠体と、サッシの一対の縦枠部の間の外側に設けられる、複数個の中間枠体と、一対の枠体の一方の枠体と、複数個の中間枠体の中、一対の枠体の一方の枠体に隣り合う中間枠体の一方の面との間に嵌め込むようにして用いる、複数の板体と、複数個の中間枠体間の各々に嵌め込むようにして用いる、複数の板体と、一対の枠体の他方の枠体と、複数個の中間枠体の中、一対の枠体の他方の枠体に隣り合う中間枠体の他方の面との間に嵌め込むようにして用いる、複数の板体とを備え、一対の枠体の各々は、平面視した場合、略コの字形状を有しており、サッシの一対の縦枠部の外側に、各々の開口部を互いに向き合うように取り付けられており、複数個の中間枠体の各々は、平面視した場合、複数個の中間枠体の各々の一方の面及び他方の面に開口部を有する略Ｈ字形状になっており、一対の枠体の一方の枠体と、複数個の中間枠体の中、一対の枠体の一方の枠体に隣り合う中間枠体の一方の面との間に嵌め込むようにして用いる、複数の板体の各々の幅は、一対の枠体の一方の枠体の、平面視した場合、略コの字形状の凹部の幅に等しいかそれよりやや小さい厚さ、且つ、複数個中間枠体の中、一対の枠体の一方の枠体に隣り合う中間枠体の、平面視した場合、略Ｈ字形状の一方の面の開口部の幅に等しいかそれよりやや小さい厚さになっており、複数個の中間枠体間の各々に嵌め込むようにして用いる、複数の板体の各々の幅は、複数個の中間枠体の各々の、平面視した場合、略Ｈ字形状の、互いに、対向配置される、一方の面の開口部及び他方の面の開口部の幅に等しいかそれよりやや小さい厚さになっており、一対の枠体の他方の枠体と、複数個の中間枠体の中、一対の枠体の他方の枠体に隣り合う中間枠体の、他方の面との間に嵌め込むようにして用いる、複数の板体の各々の幅は、一対の枠体の他方の枠体の、平面視した場合、略コの字形状の凹部の幅に等しいかそれよりやや小さい厚さ、且つ、複数個の中間枠体の中、前記一対の枠体の他方の枠体に隣り合う中間枠体の、平面視した場合、略Ｈ字形状の他方の面の開口部の幅に等しいかそれよりやや小さい厚さになっており、サッシに取り付けられた、窓や網戸等を保護する際には、一対の枠体の一方の枠体の、平面視した場合、略コの字形状の凹部と、複数個の中間枠体の中、前記一対の枠体の一方の枠体に隣り合う中間枠体の、平面視した場合、略Ｈ字形状の一方の面の開口部内に、一対の枠体の一方の枠体と、複数個の中間枠体の中、一対の枠体の一方の枠体に隣り合う中間枠体の一方の面との間に嵌め込むようにして用いる、複数の板体の各々を嵌め込み、複数個の中間枠体の各々の、互いに隣り合う関係にある、平面視した場合、略Ｈ字形状の、互いに、対向配置される、一方の開口部及び他方の開口部内に、複数個の中間枠体間の各々に嵌め込むようにして用いる、複数の板体の各々を嵌め込み、且つ、一対の枠体の他方の枠体の、平面視した場合、略コの字形状の凹部と、複数個の中間枠体の中、一対の枠体の他方の枠体に隣り合う中間枠体の、平面視した場合、略Ｈ字形状の他方の面の開口部内に、一対の枠体の他方の枠体と、複数個の中間枠体の中、一対の枠体の他方の枠体に隣り合う中間枠体の他方の面との間に嵌め込むようにして用いる、複数の板体の各々を嵌め込むことで、窓や網戸等の雨戸様の保護手段を形成する。
【００１７】
請求項１０に記載の雨戸様の保護手段は、請求項９に記載の雨戸様の保護手段の、少なくとも、複数個の中間枠体の各々を、サッシの外側に後付け的に取り付ける。
【００１８】
請求項１１に記載の雨戸様の保護手段は、請求項９又は請求項１０に記載の雨戸様の保護手段の、一対の枠体の一方の枠体の、平面視した場合、略コの字形状の凹部及び複数個の中間枠体の中、一対の枠体の一方の枠体に隣り合う中間枠体に対向する面の、少なくとも、一方に、一対の枠体の一方の枠体と、複数個の中間枠体の中、一対の枠体の一方の枠体に隣り合う中間枠体の一方の面との間に嵌め込むようにして用いる、複数の板体の各々を嵌め込むための切り欠き部を有し、複数個の中間枠体の中、相隣り合う中間枠体の互いに対向する中間枠体の一方面と他方の面の少なくとも一方に、複数個の中間枠体間の各々に嵌め込むようにして用いる、複数の板体の各々をはめ込むための切り欠き部を有し、且つ、一対の枠体の他方の枠体の、平面視した場合、略コの字形状の凹部及び複数個の中間枠体の中、一対の枠体の他方の枠体に隣り合う中間枠体に対向する面の、少なくとも、一方に、一対の枠体の他方の枠体と、複数個の中間枠体の中、一対の枠体の他方の枠体に隣り合う中間枠体の一方の面との間に嵌め込むようにして用いる、複数の板体の各々を嵌め込むための切り欠き部を有する。
【００１９】
請求項１２に記載の雨戸様の保護手段は、請求項９〜請求項１１のいずれかに記載の雨戸様の保護手段の、複数個の中間枠体の各々は、外枠体部と、内枠体部とを備え、内枠体部は、外枠体部内に、摺動可能にされており、外枠体部から外方に伸びるように又は前記外枠体部内に収容できるようにされており、複数個の中間枠体の各々は、その上端に、サッシの上部レール枠に嵌合する嵌合手段と、その下端に、サッシの下部レール枠に嵌合する嵌合手段とを備える。
【００２０】
請求項１３に記載の雨戸様の保護手段は、請求項９〜請求項１１のいずれかに記載の雨戸様の保護手段の、複数個の中間枠体の各々は、外枠体部と、内枠体部とを備える、中央枠体本体と、サッシの上部レール枠及び下部レール枠の各々に取り付ける取付部材とを備え、サッシの上部レール枠及び下部レール枠の各々に取り付ける取付部材の各々は、嵌合孔を有し、複数個の中央枠体本体の各々の、内枠体部は、外枠体部内に、摺動可能にされており、外枠体部から外方に伸びるように又は外枠体部内に収容できるようにされており、複数個の中央枠体本体の各々は、その上端に、サッシの上部レール枠に取り付けた取付部材に嵌合する嵌合突起と、その下端に、サッシの下部レール枠に取り付けた取付部材に嵌合する嵌合突起とを備える。
【００２１】
請求項１４に記載の収容ボックスは、請求項１〜１３のいずれかの雨戸様の保護手段で使用する、複数の板体を収容する収容部と、収容部に対し、着脱自在に設けられた上蓋体とを備え、且つ、その上蓋体の上面を、縁又は長椅子等の用途に使用する。
【発明の効果】
【００２２】
請求項１に係る雨戸様の保護手段では、サッシの一対の縦枠部の外側に一対の枠体を設け、一対の枠体の間に、複数の板体を嵌め込むようにして用いるようにしているので、例えば、台風等によって強い風雨が予想され、物が飛んできて、窓ガラスが割れるような事態が予想される場合には、サッシの外側に設けた一対の枠体に、複数の板体を嵌め込むことにより、雨戸を形成し、窓ガラスが割れるといった事態が生じるのを防止する一方、雨戸が不要な際には、サッシの外側に設けた一対の枠体に嵌め込まれている、複数の板体を取り外すことで、雨戸の無い窓を、雨戸が無い窓として使用することができる。
【００２３】
請求項２に記載の雨戸様の保護手段では、一対の枠体を、サッシの外側に後付け的に取り付けるようにしているので、雨戸の無い窓に、後付で、雨戸を形成できる。
【００２４】
請求項３に記載の雨戸様の保護手段では、一対の枠体の少なくとも一方に、一対の枠体の各々の略コの字形状の凹部に、複数の板体を嵌め込むための切り欠き部を設けているので、この切り欠き部を介して、複数の板体を、一対の枠体に嵌め込むことで、一対の枠体に、複数の板体を容易に嵌め込むことができる。
【００２５】
請求項４に係る雨戸様の保護手段では、サッシの一対の縦枠部の外側に一対の枠体と、中央枠体とを設け、一対の枠体の一方と、中央枠体との間に、複数の板体を嵌め込み、且つ、中央枠体と、一対の枠体の他方との間に、複数の板体を嵌め込むようにして用いるようにしているので、例えば、台風等によって強い風雨が予想され、物が飛んできて、窓ガラスが割れるような事態が予想される場合には、サッシの外側に設けた一対の枠体の一方と、中央枠体との間に、複数の板体を嵌め込み、且つ、中央枠体と、一対の枠体の他方との間に、複数の板体を嵌め込むことにより、雨戸を形成し、窓ガラスが割れるといった事態が生じるのを防止する一方、雨戸が不要な際には、サッシの外側に設けた一対の枠体の一方と、中央枠体との間に嵌め込まれている、複数の板体、及び、中央枠体と、一対の枠体の他方との間に嵌め込まれている、複数の板体を取り外すことで、雨戸の無い窓を、雨戸が無い窓として使用することができる。
【００２６】
また、この雨戸様の保護手段は、中央枠体を備えているので、複数の板体の各々の横長を、中央枠体を設けない場合に比較して、１／２程度の横長にできる。
【００２７】
即ち、雨戸様の保護手段は、窓枠の横長が長い場合であって、複数の板体の各々を、窓枠の横長の同じ長さかそれよりもやや長い長さにするのではなく、複数の板体の各々を、窓枠の横長の１／２の長さかそれよりもやや長い長さにできるので、複数の板体の各々の横長を、中央枠体を設けない場合に比較して、１／２程度の横長にできた分、サッシの外側に設けた一対の枠体の一方と、中央枠体との間に、複数の板体を嵌め込み、且つ、中央枠体と、一対の枠体の他方との間に、複数の板体を嵌め込む作業、又は、サッシの外側に設けた一対の枠体の一方と、中央枠体との間に嵌めこまれている、複数の板体、及び、サッシの外側に設けた一対の枠体の他方と、中央枠体との間に嵌めこまれている、複数の板体の取り外し作業が、容易に行える。
【００２８】
請求項５に記載の雨戸様の保護手段では、少なくとも、中央枠体を、サッシの外側に後付け的に取り付けるようにしているので、雨戸の無い窓に、後付で、雨戸を形成できる。
【００２９】
請求項６に記載の雨戸様の保護手段では、一対の枠体の一方又は中央枠体の一方の少なくとも一方に、切り欠き部を設け、且つ、一対の枠体の他方又は中央枠体の他方の少なくとも一方に、切り欠き部を設けているので、これらの切り欠き部を介して、複数の板体を、一対の枠体の一方と、中央枠体の一方との間に、且つ、一対の枠体の他方と、中央枠体の他方との間に、複数の板体を容易に嵌め込むことができる。
【００３０】
請求項７に係る雨戸様の保護手段では、中央枠体を、伸縮できるようにし、サッシに嵌合手段を用いて取り付けるようにしているので、サッシに後付的に、中央枠体を取り付けることができる。
【００３１】
また、雨戸が不要な際には、サッシの外側に設けた一対の枠体の一方の枠体と、中央枠体との間に嵌め込まれている、複数の板体、及び、中央枠体と、一対の枠体の他方の枠体との間に嵌め込まれている、複数の板体を取り外すことのみならず、サッシに嵌合手段により取り付けられている、中央枠体をサッシから取り外すことで、より一層、雨戸の無い窓を、雨戸が無い窓として使用することができる。
【００３２】
請求項８に係る雨戸様の保護手段では、サッシの上部レール枠及び下部レール枠の各々に取り付けた取付部材の各々に設けられている嵌合孔の各々に、中央枠体本体の一対の嵌合突起の各々を嵌め合わせることで、サッシに後付的に、中央枠体を取り付けることができる。
【００３３】
また、雨戸が不要な際には、サッシの外側に設けた一対の枠体の一方の枠体と、中央枠体との間に嵌め込まれている、複数の板体、及び、中央枠体と、一対の枠体の他方の枠体との間に嵌め込まれている、複数の板体を取り外すことのみならず、サッシの上部レール枠及び下部レール枠の各々に取り付けた取付部材の各々に設けられている嵌合孔の各々に嵌め合わされている、中央枠体本体の一対の嵌合突起の各々を、嵌合孔の各々から取り外し、中央枠体本体をサッシから取り外すことで、より一層、雨戸の無い窓を、雨戸が無い窓として使用することができる。
【００３４】
請求項９に係る雨戸様の保護手段では、サッシの一対の縦枠部の外側に、一対の枠体と、複数個の中間枠体とを設け、一対の枠体の一方の枠体と、複数個の中間枠体の中、一対の枠体の一方の枠体に隣り合う中間枠体との間、複数個の中間枠体間の各々、及び、一対の枠体の他方の枠体と、複数個の中間枠体の中、一対の枠体の他方の枠体に隣り合う中間枠体との間の各々に、複数の板体を嵌め込むようにして用いるようにしているので、例えば、台風等によって強い風雨が予想され、物が飛んできて、窓ガラスが割れるような事態が予想される場合には、サッシの外側に設けた、一対の枠体と、複数個の中間枠体とを設け、一対の枠体の一方の枠体と、複数個の中間枠体の中、一対の枠体の一方の枠体に隣り合う中間枠体との間、複数個の中間枠体間の各々、及び、一対の枠体の他方の枠体と、複数個の中間枠体の中、一対の枠体の他方に隣り合う中間枠体との間の各々に、複数の板体を嵌め込むことにより、雨戸を形成し、窓ガラスが割れるといった事態が生じるのを防止する一方、雨戸が不要な際には、サッシの外側に設けた、一対の枠体の一方の枠体と、複数個の中間枠体の中、一対の枠体の一方の枠体に隣り合う中間枠体との間、複数個の中間枠体間の各々、及び、一対の枠体の他方の枠体と、複数個の中間枠体の中、一対の枠体の他方の枠体に隣り合う中間枠体との間の各々に嵌め込まれている、複数の板体を取り外し、雨戸を取り去ることで、雨戸の無い窓を、雨戸が無い窓として使用することができる。
【００３５】
また、この雨戸様の保護手段は、複数個の中間枠体を備えているので、複数個の中間枠体を等間隔に配置した場合には、複数の板体の各々の横長を、複数個の中間枠体を設けない場合に比較して、1/（ｎ＋１）（ｎは、中間枠体の個数）程度の横長にできる。
【００３６】
即ち、雨戸様の保護手段は、窓枠の横長が長い場合であって、複数の板体の各々を、窓枠の横長の同じ長さかそれよりもやや長い長さにするのではなく、複数の板体の各々を、窓枠の横長の１／（ｎ＋１）（ｎは、中間枠体の個数）の長さかそれよりもやや長い長さにできるので、複数の板体の各々の横長を、中央枠体を設けない場合に比較して、1/（ｎ＋１）（ｎは、中間枠体の個数）程度の横長にできた分、サッシの外側に設けた一対の枠体の一方と、中央枠体との間に、複数の板体を嵌め込み、且つ、中央枠体と、一対の枠体の他方との間に、複数の板体を嵌め込む作業、又は、サッシの外側に設けた一対の枠体の一方と、中央枠体との間に嵌めこまれている、複数の板体、及び、サッシの外側に設けた一対の枠体の他方と、中央枠体との間に嵌めこまれている、複数の板体の取り外し作業が、容易に行える。
【００３７】
請求項１０に記載の雨戸様の保護手段では、一対の枠体及び複数個の中間枠体を、サッシの外側に後付け的に取り付けるようにしているので、雨戸の無い窓に、後付で、雨戸を形成できる。
【００３８】
請求項１１に記載の雨戸様の保護手段では、一対の枠体の一方の、複数個の中間枠体の中、一対の枠体の一方の枠体に隣り合う中間枠体に対向する面、又は、複数個の中間枠体の中、一対の枠体の一方の枠体に隣り合う中間枠体の一対の枠体の一方の枠体に対向する面の、少なくとも一方の面、複数個の中間枠体の中、相隣り合う中間枠体の互いに対向する中間枠体の一方の面と他方の面の少なくとも一方、及び、一対の枠体の他方の枠体の、複数個の中間枠体の中、前記一対の枠体の他方に隣り合う中間枠体に対向する面、又は、複数個の中間枠体の中、一対の枠体の他方の枠体に隣り合う中間枠体の一対の枠体の他方の枠体に対向する面の、少なくとも一方の面に、切り欠き部を設けているので、これらの切り欠き部を介して、複数の板体を、一対の枠体の一方と、複数個の中間枠体の中、一対の枠体の一方の枠体に隣り合う中間枠体との間、複数個の中間枠体間の各々、及び、一対の枠体の他方の枠体と、複数個の中間枠体の中、一対の枠体の他方の枠体に隣り合う中間枠体との間に嵌め込むことで、一対の枠体の一方の枠体と、複数個の中間枠体の中、一対の枠体の一方の枠体に隣り合う中間枠体との間、複数個の中間枠体間の各々、及び、一対の枠体の他方の枠体と、複数個の中間枠体の中、一対の枠体の他方の枠体に隣り合う中間枠体との間に、複数の板体を容易に嵌め込むことができる。
【００３９】
請求項１２に係る雨戸様の保護手段では、複数個の中間枠体の各々を、伸縮できるようにし、サッシに嵌合手段を用いて取り付けるようにしているので、サッシに後付的に、複数個の中間枠体の各々を取り付けることができる。
【００４０】
また、この雨戸様の保護手段では、雨戸が不要な際には、サッシの外側に設けた一対の枠体の一方の枠体と、複数個の中間枠体の中、一対の枠体の一方の枠体に隣り合う中間枠体との間に嵌め込まれている、複数の板体、複数個の中間枠体間の各々に嵌め込まれている、複数の板体、及び、一対の枠体の他方の枠体と、一対の枠体の他方の枠体に隣り合う中間枠体との間に嵌め込まれている、複数の板体を取り外すことのみならず、サッシに嵌合手段により取り付けられている、複数個の中間枠体をサッシから取り外すことで、より一層、雨戸の無い窓を、雨戸が無い窓として使用することができる。
【００４１】
請求項１３に係る雨戸様の保護手段では、サッシの上部レール枠及び下部レール枠の各々に取り付けた取付部材の各々に設けられている嵌合孔の各々に、複数個の中間枠体本体の一対の嵌合突起の各々を嵌め合わせることで、サッシに後付的に、複数個の中間枠体を取り付けることができる。
【００４２】
また、雨戸が不要な際には、サッシの外側に設けた一対の枠体の一方の枠体と、複数個の中間枠体の中、一対の枠体の一方の枠体に隣り合う中間枠体との間に嵌め込まれている、複数の板体、複数個の中間枠体間の各々に嵌め込まれている、複数の板体、及び、一対の枠体の他方の枠体と、一対の枠体の他方の枠体に隣り合う中間枠体との間に嵌め込まれている、複数の板体を取り外すことのみならず、サッシの上部レール枠及び下部レール枠の各々に取り付けた取付部材の各々に設けられている嵌合孔の各々に嵌め合わされている、中央枠体本体の一対の嵌合突起の各々を、嵌合孔の各々から取り外し、中央枠体本体をサッシから取り外すことで、より一層、雨戸の無い窓を、雨戸が無い窓として使用することができる。
【００４３】
請求項１４に記載の収容ボックスは、収容部内に、複数の板体を収容した後、又は、複数の板体を収容部から取り出した後、収容部を上蓋体で覆い、これを軒先（縁側）に設置すれば、上蓋体の上面を、縁又は長椅子等の用途に使用できる。
【発明を実施するための最良の形態】
【００４４】
以下、本発明に係る雨戸様の保護手段の一例を図面を参照しながら更に詳しく説明する。
（発明の実施の形態１）
図１は、本発明に係る雨戸様の保護手段の一例の使用例を模式的に示す斜視図である。
【００４５】
また、図２は、図１に示す雨戸様の保護手段の構成を概略的に示す構成図であり、図２（ａ）は、図２に示す雨戸様の保護手段の一例の構成部材である、一対の枠体を、その一部を省略して概略的に示す斜視図であり、図２（ｂ）は、図１に示す雨戸様の保護手段の構成部材である、図２（ａ）に示す、一対の枠体に嵌め込むようにして用いる、複数の板体の１枚を、その一部を省略して概略的に示す斜視図である。
【００４６】
また、図３は、図１に示す雨戸様の保護手段の使用方法を例示的に示す斜視図である。
【００４７】
図１を参照しながら説明すると、この雨戸様の保護手段１は、一対の枠体２ａ、２ｂと、一対の枠体２ａ、２ｂの間に嵌め込むようにして用いる、複数の板体３・・・とを備える。
【００４８】
一対の枠体２ａ、２ｂは、窓や網戸等の開閉に用いる、サッシ４の外側に設けられる。
【００４９】
より具体的に説明すると、一対の枠体２ａ、２ｂは、窓や網戸等の開閉に用いる、サッシ４の一対の縦枠部４ａ、４ａの外側に設けられる。
【００５０】
尚、一対の枠体２ａ、２ｂの各々は、特に、以下の場合には、限定されないが、例えば、アルミニウム等の金属製のものを用いる。
【００５１】
また、一対の枠体２ａ、２ｂの各々は、サッシ４の一対の縦枠体４ａ、４ａの外側に、溶接や接着等の手段によって、または、ボルトやナット、ビス等の固着手段により、後付けで、取り付けても良いし、また、サッシ４を製造する際に、予め、一体成型するようにしてもよい。
【００５２】
一対の枠体２ａ、２ｂの各々は、図２（ａ）に示すように、平面視した場合、略コの字形状を有している。
【００５３】
また、図１及び図２（ａ）に示すように、サッシの４一対の縦枠部４ａ、４ａの外側に、各々の開口部ｈ２、ｈ２を互いに向き合うように取り付けられる。
【００５４】
複数の板体３・・・の各々は、一対の枠体２ａ、２ｂの各々の、平面視した場合、略コの字形状の凹部の幅Ｗ２、Ｗ２に等しいかそれよりやや小さい厚さになっている。
【００５５】
尚、複数の板体３・・・の各々は、特に、以下の場合には、限定されないが、例えば、木製であってもよく、アルミニウム等の金属製であってもよく、又は、合板製であってもよい。
【００５６】
次に、この雨戸様の保護手段１の使用方法を例示的に説明する。
【００５７】
例えば、台風等によって強い風雨が予想され、物が飛んできて、窓ガラスが割れるような事態が予想される場合には、図１１に示すように、サッシ４に取り付けられた、窓や網戸等を保護するために、
一対の枠体２ａ、２ｂの各々の略コの字形状の凹部に、複数の板体３・・・を、順次、嵌め込むことで、窓や網戸等の雨戸様の保護手段を形成する（図１を参照。）。
【００５８】
一方、晴天の日や、曇りの日等、雨戸が不要な場合には、上記した手順とは逆に、一対の枠体２ａ、２ｂの各々の略コの字形状の凹部に嵌め込まれている、複数の板体３・・・を取り外し、雨戸を取り去ることで、雨戸の無い窓を、雨戸が無い窓として使用することができる。
【００５９】
図４は、本発明に係る雨戸様の保護手段の一例の使用例を模式的に示す斜視図である。
【００６０】
また、図５は、図４に示す雨戸様の保護手段の他の一例の使用例を模式的に示す斜視図であり、図５（ａ）は、図４に示す雨戸様の保護手段の他の一例の構成部材である、一対の枠体を、その一部を省略して概略的に示す斜視図であり、図５（ｂ）は、図４に示す雨戸様の保護手段の他の一例の構成部材である、図５（ａ）に示す、一対の枠体に嵌め込むようにして用いる、複数の板体の１枚を、その一部を省略して概略的に示す斜視図である。
【００６１】
また、図６（ａ）及び図６（ｂ）は、図４に示す雨戸様の保護手段の使用方法を例示的に示す斜視図である。
【００６２】
この雨戸様の保護手段１Ａは、以下の構成を備える点以外は、図１に示す雨戸様の保護手段１と同様の構成を備えるので、雨戸様の保護手段１Ａの構成部材中、雨戸様の保護手段１の構成部材に相当する構成部材については、雨戸様の保護手段１の構成部材に付した参照符号を付して、その説明を省略する。
【００６３】
この雨戸様の保護手段１Ａは、一対の枠体２ａ、２ｂの少なくとも一方に、一対の枠体２ａ、２ｂの各々の略コの字形状の凹部に、複数の板体３・・・を嵌め込むための切り欠き部５ａ、５ｂを更に備える。
【００６４】
図４に示すように、一対の枠体２ａ、２ｂの少なくとも一方に、一対の枠体２ａ、２ｂの各々の略コの字形状の凹部に、複数の板体３・・・を嵌め込むための切り欠き部５ａ、５ｂを設けた場合には、切り欠き部５ａ、５ｂを介して、複数の板体３・・・を、一対の枠体２ａ、２ｂに嵌め込むようにすることで（図６を参照。）、一対の枠体２ａ、２ｂに、複数の板体３・・・を容易に嵌め込むことができる。
【００６５】
尚、図４では、一対の枠体２ａ、２ｂの少なくとも一方に、一対の枠体２ａ、２ｂの各々の略コの字形状の凹部に、複数の板体３・・・を嵌め込むための切り欠き部５ａ、５ｂを設けた例を示したが、これは、単なる例示であって、切り欠き部は、枠体２の上方のみ設けられていても良く、図４に示すように、枠体２の上方と、枠体の途中に設けられていても良い。
（発明の実施の形態２）
図７は、本発明に係る雨戸様の保護手段の他の一例の使用例を模式的に示す斜視図である。
【００６６】
また、図８は、図７に示す雨戸様の保護手段の構成部材中、中央枠体を概略的に示す構成図であり、また、図９は、サッシへの雨戸様の保護手段の中央枠体の取り付け方法の一例を説明する断面図である。
【００６７】
この雨戸様の保護手段１Ｂは、サッシ４の一対の縦枠部４ａ、４ａの外側に設けられる、一対の枠体２ａ、２ｂと、サッシ４の中央部の外側に設けられる、中央枠体６と、一対の枠体２ａ、２ｂの一方の枠体２ａと、中央枠体６の一方の面との間に嵌め込むようにして用いる、複数の板体３ａ・・・と、一対の枠体２ａ、２ｂの他方の枠体２ｂと、中央枠体６の他方の面との間に嵌め込むようにして用いる、複数の板体３ｂ・・・とを備える。
【００６８】
一対の枠体２ａ、２ｂの各々は、平面視した場合、略コの字形状を有しており、サッシ４の一対の縦枠部４ａ、４ａの外側に、各々の開口部を互いに向き合うように取り付けられている。
【００６９】
中央枠体６は、平面視した場合、中央枠体の一方の面及び他方の面に開口部を有する略Ｈ字形状になっている。
【００７０】
また、一対の枠体２ａ、２ｂの一方の枠体２ａと、中央枠体６の一方の面との間に嵌め込むようにして用いる、複数の板体３ａ・・・の各々は、一対の枠体２ａ、２ｂの一方の枠体２ａの、平面視した場合、略コの字形状の凹部の幅に等しいかそれよりやや小さい厚さ、且つ、中央枠体６の、平面視した場合、略Ｈ字形状の一方の面の開口部ｈ６ａの幅に等しいかそれよりやや小さい厚さになっている。
【００７１】
尚、複数の板体３ａ・・・、３ｂ・・・の各々は、特に、以下の場合には、限定されないが、例えば、木製であってもよく、アルミニウム等の金属製であってもよく、又は、合板製であってもよい。
【００７２】
且つ、一対の枠体２ａ、２ｂの他方の枠体２ｂと、中央枠体６の他方の面との間に嵌め込むようにして用いる、複数の板体３ｂ・・・の各々は、一対の枠体２ａ、２ｂの他方の枠体２ｂの、平面視した場合、略コの字形状の凹部の幅に等しいかそれよりやや小さい厚さ、且つ、中央枠体６の、平面視した場合、略Ｈ字形状の他方の面の開口部ｈ６ｂの幅に等しいかそれよりやや小さい厚さになっている。
【００７３】
次に、この雨戸様の保護手段１Ｂの使用方法を例示的に説明する。
【００７４】
例えば、台風等によって強い風雨が予想され、物が飛んできて、窓ガラスが割れるような事態が予想される場合には、図７に示すように、サッシに取り付けられた、窓や網戸等を保護するために、一対の枠体２ａ、２ｂの一方の枠体２ａの、平面視した場合、略コの字形状の凹部と、中央枠体６の、平面視した場合、略Ｈ字形状の一方の面の開口部ｈ６ａ内に、一対の枠体２ａ、２ｂの一方の枠体２ａと、中央枠体６の一方の面との間に嵌め込むようにして用いる、複数の板体３ａ・・・の各々を嵌め込み、且つ、一対の枠体２ａ、２ｂの他方の枠体２ｂの、平面視した場合、略コの字形状の凹部と、中央枠体６の、平面視した場合、略Ｈ字形状の他方の面の開口部ｈ６ｂ内に、一対の枠体２ａ、２ｂの他方の枠体２ｂと、中央枠体６の他方の面との間に嵌め込むようにして用いる、複数の板体３ｂ・・・の各々を嵌め込むことで、窓や網戸等の雨戸様の保護手段を形成する（図７を参照。）。
【００７５】
一方、晴天の日や、曇りの日等、雨戸が不要な場合には、上記した手順とは逆に、一対の枠体２ａ、２ｂの一方の枠体２ａと中央枠体６の一方の面との間に嵌め込まれている、複数の板体３ａ・・・を取り去り、また、一対の枠体２ａ、２ｂの他方の枠体２ｂと中央枠体６の他方の面との間に嵌め込まれている、複数の枠体３ｂ・・・を取り去ることで、雨戸の無い窓を、雨戸が無い窓として使用することができる。
【００７６】
ここで、サッシ４に後付けで取り付ける、中央枠体６の一例の構成を説明する。
【００７７】
図８は、中央枠体６の構成を、その一部を省略して、概略的に示す斜視図である。
【００７８】
また、図９は、中央枠体６をサッシ４に取り付けた後の状態を、その一部を省略して、概略的に示す斜視図である。
【００７９】
中央枠体６は、外枠体部６ａと、内枠体部６ｂとを備える。
【００８０】
内枠体部６ｂは、外枠体部６ａ内に、摺動可能にされており、外枠体部６ａから外方に伸びるように又は外枠体部６ａ内に収容できるようにされている。
【００８１】
また、中央枠体６は、その上端に、サッシの上部レール枠に嵌合するは嵌合手段（爪体）６ｃと、その下端に、サッシの下部レール枠に嵌合する嵌合手段（爪体）６ｄとを備える。
【００８２】
この例では、嵌合手段（爪体）６ｃ及び嵌合手段（爪体）６ｄの各々は、３本の嵌合突起７ａ、７ｂ、７ｃを備える。
【００８３】
３本の嵌合突起７ａ、７ｂ、７ｃの各々は、サッシのレール枠に嵌め合わせた後、嵌合突起７ａ、７ｂが、サッシのレール枠の外側に位置するように、また、嵌合突起７ｃが、嵌合突起７ａ、７ｂに対し、サッシのレール枠の厚さに等しいかまたはこれよりやや大きい幅を有するようにして設けられ、サッシのレール枠に嵌め合わせた後、嵌合突起７ａ、７ｂが、サッシのレール枠の内側に位置するように設けられている。
【００８４】
また、この例では、嵌合手段（爪体）６ｃは、内枠体部６ｂの上端に設けられ、嵌合手段（爪体）６ｄは、外枠体部６ａの下端に設けられている。
【００８５】
次に、この中央枠体６をサッシ４に取り付ける方法を例示的に説明する。
【００８６】
まず、内枠体部６ｂを、外枠体部６ａ内に所定分収容し、サッシ４の高さより、その全長が短くなるようにして、嵌合手段（爪体）６ｄを、サッシ４の下部レール枠に嵌め込む。
【００８７】
次に、内部枠体６ｂを外部枠体６ａから引き出し、嵌合手段（爪体）６ｃを、サッシ４の上部レール枠に嵌め込む。
【００８８】
その後、ボルト手段８、８を用い、内部枠体６ｂを外部枠体６ｃに固定する。
【００８９】
次に、サッシ４に後付けで取り付ける、中央枠体の他の一例の構成を説明する。
【００９０】
図１０は、中央枠体の他の一例を、その一部を省略して、概略的に示す、分解斜視図である。
【００９１】
この中央枠体６Ａは、中央枠体本体１１と、サッシ４の上部サッシへの取付部材１２と、サッシ４の下部サッシへの取付部材１２とを備える。
【００９２】
取付部材１２は、図１０に示すように、側面視した場合（図１０中に示す矢印Ａｒ１方向から見た場合）、略Ｌ字形状の取付部材本体１３と、この取付部材本体１３に形成された嵌合孔ｈ１３とを備える。
【００９３】
取付部材１２の構成を、より具体的に説明すると、取付部材１２は、第一の片１３ａと、第二の片１３ｂとを備え、第１の片１３ａが、第一の片１３ａｂと第二の片１３ｂとの接続部に、第一の片１３ａが、第二の片１３ｂに対し、垂直又は概ね垂直に設けられており、且つ、第二の片１３ｂに、嵌合孔ｈ１３を有している。
【００９４】
この取付部材１２は、サッシ４の上部レール枠用又は下部レール枠用として使用するものである。
【００９５】
次に、中央枠体本体１４の構成について説明する。
【００９６】
この中央枠体本体１４の構成は、以下の構成以外は、図８に示す中央枠体６の構成と同様であるので、中央枠体本体１４の構成部材中、中央枠体６の構成部材に相当する構成部材については、中央枠体６の構成部材に付した参照符号を付して、その説明を省略する。
【００９７】
この中央枠体本体１４は、その上端に、取付部材１０に設けられた嵌合孔ｈ１１又は取付部材１２に設けられた嵌合孔ｈ１３に嵌合わせ可能な嵌合突起ｐ１５と、その下端に、取付部材１０に設けられた嵌合孔ｈ１１又は取付部材１２に設けられた嵌合孔ｈ１３に嵌合わせ可能な嵌合突起ｐ１６とを備える。
【００９８】
また、この例では、嵌合突起ｐ１５は、内枠体部６ｂの上端に設けられ、嵌合突起ｐ１６は、外枠体部６ａの下端に設けられている。
【００９９】
次に、この中央枠体６をサッシ４に取り付ける方法を例示的に説明する。
【０１００】
まず、サッシ（図示せず。）の上部レール枠の外面の中央部又は概ね中央部に、取付部材１２を取り付ける。
【０１０１】
また、サッシ（図示せず。）の下部レール枠の外面の中央部又は概ね中央部に、上部レール枠に取り付けた、取付部材１２と整列する位置に、もう一つの取付部材１２を取り付ける。
【０１０２】
尚、この例では、取付部材１２、１２の各々に、ボルト孔ｖ・・・を形成し、上部レール枠の外面の中央部又は概ね中央部、及び、上部レール枠の外面の中央部又は概ね中央部の各々に、取付部材１２、１２の各々を、ボルト手段（図示せず。）を用いて、取り付けする場合を示しているが、固定手段は、ボルト手段（図示せず。）に限られず、リベットを用いても良く、溶接や接着等であってもよい。
【０１０３】
次に、内枠体部６ｂを、外枠体部６ａ内に所定分収容し、サッシ４の高さより、その全長が短くなるようにして、嵌合突起ｐ１６を、サッシ４の下部レール枠に取り付けた取付部材１２の嵌合孔ｈ１３に嵌合する（嵌め込む）。
【０１０４】
次に、内部枠体６ｂを外部枠体６ａから引き出し、嵌合突起ｐ１６を、サッシ４の上部レール枠に取り付けた取付部材１２の嵌合孔ｈ１３に嵌合する（嵌め込む）。
【０１０５】
その後、ボルト手段８、８を用い、内部枠体６ｂを外部枠体６ｃに固定する。
【０１０６】
雨戸様の保護手段１Ｂでは、サッシ４の一対の縦枠部４ａ、４ａの外側に一対の枠体２ａ、２ｂと、中央枠体６とを設け、一対の枠体２ａ、２ｂの一方の枠体２ａと、中央枠体６との間に、複数の板体３ａ・・・を嵌め込み、且つ、中央枠体６と、一対の枠体２ａ、２ｂの他方の枠体２ｂとの間に、複数の板体３ｂ・・・を嵌め込むようにして用いるようにしているので、例えば、台風等によって強い風雨が予想され、物が飛んできて、窓ガラスが割れるような事態が予想される場合には、サッシ４の外側に設けた一対の枠体２ａ、２ｂの一方の枠体２ａと、中央枠体６との間に、複数の板体３ａ・・・を嵌め込み、且つ、中央枠体６と、一対の枠体２ａ、２ｂの他方の枠体２ｂとの間に、複数の板体３ｂ・・・を嵌め込むことにより、雨戸を形成し、窓ガラスが割れるといった事態が生じるのを防止する一方、雨戸が不要な際には、サッシ４の外側に設けた一対の枠体２ａ、２ｂの一方の枠体２ａと、中央枠体６との間に嵌め込まれている、複数の板体３ａ・・・、及び、中央枠体６と、一対の枠体２ａ、２ｂの他方の枠体２ｂとの間に嵌め込まれている、複数の板体３ｂ・・・を取り外し、雨戸を取り去ることで、雨戸の無い窓を、雨戸が無い窓として使用することができる。
【０１０７】
また、この雨戸様の保護手段１Ｂでは、一対の枠体２ａ、２ｂ及び中央枠体６を、サッシ４の外側に後付け的に取り付けるようにしているので、雨戸の無い窓に、後付で、雨戸を形成できる。
【０１０８】
また、この雨戸様の保護手段１Ｂでは、中央枠体６に、切り欠き部５ｃ、５ｄを設け、また、中央枠体６Ａの、中央枠体本体１４に、切り欠き部５ｃ、５ｄを設けている。
【０１０９】
この雨戸様の保護手段１Ｂのように、一対の枠体２ａ、２ｂの一方の枠体又は中央枠体６（又は中央枠体６Ａ）の一方の少なくとも一方に、切り欠き部を設け（この例では、一対の枠体２ａ、２ｂの一方の枠体２ａに切り欠き部５ａ、５ｂを設けた例を示している。）、且つ、一対の枠体２ａ、２ｂの他方の枠体２ｂ又は中央枠体６（又は中央枠体６Ａ）の他方の少なくとも一方に、切り欠き部を設けるようにした場合（この例では、中央枠体６、６Ａの他方の面に切り欠き部５ｃ、５ｄを設けた例を示している。）には、切り欠き部５ａ、５ｂ、５ｃ、５ｄを介して、複数の板体３ａ・・・を、一対の枠体２ａ、２ｂの一方の枠体２ａと、中央枠体６の一方との間に、複数個の中間枠体６・・・間又は複数個の中間枠体６Ａ・・・間、且つ、一対の枠体２ａ、２ｂの他方の枠体２ｂと、中央枠体６、６Ａの他方との間に、複数の板体３ｂ・・・を容易に嵌め込むことができる。
【０１１０】
また、この雨戸様の保護手段１Ｂは、中央枠体６（又は中央枠体６Ａ）を備えているので、複数の板体の各々の横長を、中央枠体６（又は中央枠体６Ａ）を設けない場合に比較して、１／２程度の横長にできる。
【０１１１】
即ち、雨戸様の保護手段１Ｂは、窓枠の横長が長い場合であって、複数の板体の各々を、窓枠の横長の同じ長さかそれよりもやや長い長さにするのではなく、複数の板体の各々を、窓枠の横長の１／２の長さかそれよりもやや長い長さにできるので、複数の板体の各々の横長を、中央枠体を設けない場合に比較して、１／２程度の横長にできた分、サッシ４の外側に設けた一対の枠体２ａ、２ｂの一方の枠体２ａと、中央枠体６（又は中央枠体６Ａ）との間に、複数の板体３ａ・・・を嵌め込み、且つ、中央枠体６（又は中央枠体６Ａ）と、一対の枠体２ａ、２ｂの他方の枠体２ｂとの間に、複数の板体３ｂ・・・を嵌め込む作業、又は、サッシ４の外側に設けた一対の枠体２ａ、２ｂの一方の枠体２ａと、中央枠体６（又は中央枠体６Ｂ）との間に嵌めこまれている、複数の板体３ａ・・・、及び、サッシ４の外側に設けた一対の枠体２ａ、２ｂの他方の枠体２ｂと、中央枠体６（又は中央枠体６Ａ）との間に嵌めこまれている、複数の板体３ｂ・・・の取り外し作業が、容易に行える。
【０１１２】
また、雨戸様の保護手段１Ｂの構成部材として、中央枠体６を用いた場合には、中央枠体６を、伸縮できるようにし、サッシ４に嵌合手段（爪体）６ｃ及び嵌合手段（爪体）６ｄを用いて取り付けるようにしているので、サッシ４に後付的に、中央枠体６を取り付けることができる。
【０１１３】
また、雨戸が不要な際には、サッシ４の外側に設けた一対の枠体２ａ、２ｂの一方の枠体と、中央枠体６との間に嵌め込まれている、複数の板体３ａ・・・、及び、中央枠体６と、一対の枠体２ａ、２ｂの他方の枠体２ｂとの間に嵌め込まれている、複数の板体３ｂ・・・を取り外すことのみならず、サッシ４に嵌合手段（爪体）６ｃ及び嵌合手段（爪体）６ｄにより取り付けられている、中央枠体６をサッシ４から取り外すことで、より一層、雨戸の無い窓を、雨戸が無い窓として使用することができる。
【０１１４】
また、雨戸様の保護手段１Ｂの構成部材として、中央枠体６Ａを用いた場合には、サッシ４の上部レール枠及び下部レール枠の各々に取り付けた取付部材１２、１２の各々に設けられている嵌合孔ｈ１３、ｈ１３の各々に、中央枠体本体１４の一対の嵌合突起ｐ１５、ｐ１６の各々を嵌め合わせることで、サッシ４に後付的に、中央枠体６Ａを取り付けることができる。
【０１１５】
また、雨戸が不要な際には、サッシ４の外側に設けた一対の枠体２ａ、２ｂの一方の枠体２ａと、中央枠体６Ａとの間に嵌め込まれている、複数の板体３ａ・・・、及び、中央枠体６Ａと、一対の枠体２ａ、２ｂの他方の枠体２ｂとの間に嵌め込まれている、複数の板体３ｂ・・・を取り外すことのみならず、サッシ４の上部レール枠及び下部レール枠の各々に取り付けた取付部材１２、１２の各々に設けられている嵌合孔ｈ１３、ｈ１３の各々に嵌め合わされている、中央枠体本体１４の一対の嵌合突起ｐ１５、ｐ１６の各々を、嵌合孔ｈ１３、ｈ１３の各々から取り外し、中央枠体本体１４をサッシ４から取り外すことで、より一層、雨戸の無い窓を、雨戸が無い窓として使用することができる。
【０１１６】
尚、発明の実施の形態では、一対の枠体２ａ、２ｂの一方の枠体２ａに、上下、２つの切り欠き部５ａ、５ｂを設けた例を示し、中央枠体６の他方の面に、上下、２つの切り欠き部５ａ、５ｂを設けた例を示し、また、中央枠体６Ａの他方の面に、上下、２つの切り欠き部５ａ、５ｂを設けた例を示したが、これらは、単なる例示であって、一対の枠体２ａ、２ｂの一方の枠体２ａ、中央枠体６の他方の面及び中央枠体６Ａの他方の面の各々に切り欠き部を必ず設ける必要はなく、また、一対の枠体２ａ、２ｂの一方の枠体２ａ、中央枠体６の他方の面及び中央枠体６Ａの他方の面の各々に設ける切り欠き部の数は、１以上設けられていてもよい。
（発明の実施の形態３）
図１１は、複数の窓を有する等の幅広のサッシに、雨戸様の保護部材を取り付けた例を概略的に示す斜視図である。
【０１１７】
この雨戸様の保護手段１Ｃは、サッシ４の一対の縦枠部４ａ、４ａの外側に設けられる、一対の枠体２ａ、２ｂと、サッシ４の一対の縦枠部４ａ、４ａの間の外側に設けられる、複数個の中間枠体６Ｂ、６Ｃと、一対の枠体２ａ、２ｂの一方の枠体２ａと、複数個の中間枠体６Ｂ、６Ｃの中、一対の枠体２ａ、２ｂの一方の枠体２ａに隣り合う中間枠体６Ｂの一方の面との間に嵌め込むようにして用いる、複数の板体３ｃ・・・と、複数個の中間枠体６Ｂ、６Ｃ間の各々に嵌め込むようにして用いる、複数の板体３ｄ・・・と、一対の枠体２ａ、２ｂの他方の枠体２ｂと、複数個の中間枠体６Ｂ、６Ｃの中、一対の枠体２ａ、２ｂの他方の枠体２ｂに隣り合う中間枠体６Ｃの他方の面との間に嵌め込むようにして用いる、複数の板体３ｅ・・・とを備える。
【０１１８】
一対の枠体２ａ、２ｂの各々は、平面視した場合、略コの字形状を有しており、サッシ４の一対の縦枠部４ａ、４ａの外側に、各々の開口部を互いに向き合うように取り付けられている。
【０１１９】
また、複数個の中間枠体６Ｂ、６Ｃの各々は、平面視した場合、複数個の中間枠体６Ｂ、６Ｃの各々の一方の面及び他方の面に開口部を有する略H字形状になっている。
【０１２０】
一対の枠体２ａ、２ｂの一方の枠体２ａと、複数個の中間枠体６Ｂ、６Ｃの中、一対の枠体２ａ、２ｂの一方の枠体２ａに隣り合う中間枠体６Ｂの一方の面との間に嵌め込むようにして用いる、複数の板体３ｃ・・・の各々の幅は、一対の枠体２ａ、２ｂの一方の枠体２ａの、平面視した場合、略コの字形状の凹部の幅に等しいかそれよりやや小さい厚さ、且つ、複数個の中間枠体６Ｂ、６Ｃの中、一対の枠体２ａ、２ｂの一方の枠体２ａに隣り合う中間枠体６Ｂの、平面視した場合、略Ｈ字形状の一方の面の開口部の幅に等しいかそれよりやや小さい厚さになっている。
【０１２１】
尚、複数の板体３ａ・・・、３ｂ・・・の各々は、特に、以下の場合には、限定されないが、例えば、木製であってもよく、アルミニウム等の金属製であってもよく、又は、合板製であってもよい。
【０１２２】
複数個の中間枠体６Ｂ、６Ｃ間の各々に嵌め込むようにして用いる、複数の板体３ｄ・・・の各々の幅は、複数個の中間枠体６Ｂ、６Ｃの各々の、平面視した場合、略Ｈ字形状の、互いに、対向配置される、一方の面の開口部及び他方の面の開口部の幅に等しいかそれよりやや小さい厚さになっている。
【０１２３】
一対の枠体２ａ、２ｂの他方の枠体２ｂと、複数個の中間枠体６Ｂ、６Ｃの中、一対の枠体２ａ、２ｂの他方の枠体２ｂに隣り合う中間枠体６Ｃの他方の面との間に嵌め込むようにして用いる、複数の板体３ｅ・・・の各々の幅は、一対の枠体２ａ、２ｂの他方の枠体２ｂの、平面視した場合、略コの字形状の凹部の幅に等しいかそれよりやや小さい厚さ、且つ、複数個の中間枠体６Ｂ、６Ｃの中、一対の枠体２ａ、２ｂの他方の枠体２ｂに隣り合う中間枠体６Ｃの、平面視した場合、略Ｈ字形状の他方の面の開口部の幅に等しいかそれよりやや小さい厚さになっている。
【０１２４】
尚、複数個の中間枠体６Ｂ、６Ｃの各々の構成は、中央枠体６又は中央枠体６Ａの構成と同様であるので、ここでの説明は、省略する。
【０１２５】
次に、この雨戸様の保護手段１Ｃの使用方法を例示的に説明する。
【０１２６】
例えば、台風等によって強い風雨が予想され、物が飛んできて、窓ガラスが割れるような事態が予想される場合には、図１１に示すように、サッシ４に取り付けられた、窓や網戸等を保護するために、一対の枠体２ａ、２ｂの一方の枠体２ａの、平面視した場合、略コの字形状の凹部と、複数個の中間枠体６Ｂ、６Ｃの中、一対の枠体２ａ、２ｂの一方の枠体２ａに隣り合う中間枠体６Ｂの、平面視した場合、略Ｈ字形状の一方の面の開口部内に、一対の枠体２ａ、２ｂの一方の枠体２ａと、複数個の中間枠体６Ｂ、６Ｃの中、一対の枠体２ａ、２ｂの一方の枠体２ａに隣り合う中間枠体６Ｂ一方の面との間に嵌め込むようにして用いる、複数の板体３ｃ・・・の各々を嵌め込み、複数個の中間枠体６Ｂ、６Ｃの各々の、互いに隣り合う関係にある、平面視した場合、略Ｈ字形状の、互いに、対向配置される、一方の開口部及び他方の開口部内に、複数個の中間枠体６Ｂ、６Ｃ間の各々に嵌め込むようにして用いる、複数の板体３ｄ・・・の各々を嵌め込み、且つ、一対の枠体２ａ、２ｂの他方の枠体２ｂの、平面視した場合、略コの字形状の凹部と、複数個の中間枠体６Ｂ、６Ｃの中、一対の枠体２ａ、２ｂの他方の枠体２ｂに隣り合う中間枠体６Ｃの、平面視した場合、略Ｈ字形状の他方の面の開口部内に、一対の枠体２ａ、２ｂの一方の枠体２ａと、複数個の中間枠体６Ｂ、６Ｃの中、一対の枠体２ａ、２ｂの他方の枠体に隣り合う中間枠体６Ｃの他方の面との間に嵌め込むようにして用いる、複数の板体３ｅ・・・の各々を嵌め込むことで、窓や網戸等の雨戸様の保護手段を形成する。
【０１２７】
この雨戸様の保護手段１Ｃでは、サッシ４の一対の縦枠部４ａ、４ａの外側に、一対の枠体２ａ、２ｂと、複数個の中間枠体６Ｂ、６Ｃとを設け、一対の枠体２ａ、２ｂの一方の枠体２ａと、複数個の中間枠体６Ｂ、６Ｃの中、一対の枠体２ａ、２ｂの一方の枠体２ａに隣り合う中間枠体６Ｂとの間、複数個の中間枠体６Ｂ、６Ｃ間の各々、及び、一対の枠体２ａ、２ｂの他方の枠体２ｂと、複数個の中間枠体６Ｂ、６Ｃの中、一対の枠体２ａ、２ｂの他方の枠体２ｂに隣り合う中間枠体６Ｃとの間の各々に、複数の板体３ｃ・・・、３ｄ・・・、３ｅ・・・を嵌め込むようにして用いるようにしているので、例えば、台風等によって強い風雨が予想され、物が飛んできて、窓ガラスが割れるような事態が予想される場合には、一対の枠体２ａ、２ｂの一方の枠体２ａと、複数個の中間枠体６Ｂ、６ｃ中、一対の枠体２ａ、２ｂの一方の枠体２ａに隣り合う中間枠体６Ｂとの間、複数個の中間枠体６Ｂ、６Ｃ間の各々、及び、一対の枠体２ａ、２ｂの他方の枠体２ｂと、複数個の中間枠体６Ｂ、６Ｃの中、一対の枠体２ａ、２ｂの他方の枠体２ｂに隣り合う中間枠体６Ｃとの間の各々に、複数の板体３ｃ・・・、３ｄ・・・、３ｅ・・・を嵌め込むことにより、雨戸を形成し、窓ガラスが割れるといった事態が生じるのを防止する一方、雨戸が不要な際には、サッシの外側に設けた、一対の枠体２ａ、２ｂの一方の枠体２ａと、複数個の中間枠体６Ｂ、６Ｃの中、一対の枠体２ａ、２ｂの一方の枠体２ａに隣り合う中間枠体６Ｂとの間、複数個の中間枠体６Ｂ、６Ｃ間の各々、及び、一対の枠体２ａ、２ｂの他方の枠体２ｂと、複数個の中間枠体６Ｂ、６Ｃの中、一対の枠体２ａ、２ｂの他方の枠体２ｂに隣り合う中間枠体６Ｃとの間の各々に嵌め込まれている、複数の板体３ｃ・・・、３ｄ・・・、３ｅ・・・を取り外し、雨戸を取り去ることで、雨戸の無い窓を、雨戸が無い窓として使用することができる。
【０１２８】
また、この雨戸様の保護手段１Ｃは、複数個の中間枠体６Ｂ、６Ｃを備えているので、複数個の中間枠体６Ｂ、６Ｃを等間隔に配置した場合には、複数の板体６Ｂ、６Ｃの各々の横長を、複数個の中間枠体を設けない場合に比較して、1/（ｎ＋１）（ｎは、中間枠体の個数）（この例では、２個の中間枠体６Ｂ、６Ｃを設けているので、ｎ＝２であることから、１／３）程度の横長にできる。
【０１２９】
即ち、この雨戸様の保護手段１Ｃは、窓枠（サッシ４）が横長が長い場合であって、複数の板体の各々を、窓枠（サッシ４）の横長の同じ長さかそれよりもやや長い長さにするのではなく、複数の板体３ｃ・・・、３ｄ・・・、３ｅ・・・の各々を、窓枠（サッシ４）の横長の１／（ｎ＋１）（ｎは、中間枠体の個数）の長さかそれよりもやや長い長さにできるので、複数の板体の各々の横長を、中央枠体を設けない場合に比較して、1/（ｎ＋１）（ｎは、中間枠体の個数）程度の横長にできた分、サッシの外側に設けた一対の枠２ａ、２ｂ体の一方の枠体２ａと、複数個の中間枠体６Ｂ、６Ｃの中、一対の枠２ａ、２ｂ体の一方の枠体２ａに隣り合う、中間枠体６Ｂとの間に、複数の板体３ｃ・・・を嵌め込み、複数個の中間枠体６Ｂ、６Ｃ間に、複数の板体３ｄ・・・を嵌め込み、且つ、一対の枠体２ａ、２ｂの他方の枠体２ｂと、複数個の中間枠体６Ｂ、６Ｃの中、一対の枠２ａ、２ｂ体の一方の枠体２ａに隣り合う、中間枠体６Ｂとの間に、複数の板体３ｅ・・・を嵌め込む作業、又は、サッシ４の外側に設けた一対の枠体２ａ、２ｂの一方の枠体２ａと、複数個の中間枠体６Ｂ、６Ｃの中、一対の枠２ａ、２ｂ体の一方の枠体２ａに隣り合う、中間枠体６Ｂとの間に嵌めこまれている、複数の板体３ｃ・・・、複数個の中間枠体６Ｂ、６Ｃ間に嵌めこまれている、複数の板体３ｄ・・・、及び、サッシ４の外側に設けた一対の枠体２ａ、２ｂの他方の枠体２ｂと、複数個の中間枠体６Ｂ、６Ｃの中、一対の枠２ａ、２ｂ体の一方の枠体２ａに隣り合う、中間枠体６Ｂとの間に嵌めこまれている、複数の板体３ｅ・・・の取り外し作業が、容易に行える。
【０１３０】
また、この雨戸様の保護手段１Ｃでは、一対の枠体２ａ、２ｂ及び複数個の中間枠体６Ｂ、６Ｃを、サッシ４の外側に後付け的に取り付けるようにしているので、雨戸の無い窓に、後付で、雨戸を形成できる。
【０１３１】
また、この雨戸様の保護手段１Ｃでは、一対の枠体２ａ、２ｂの一方の枠体２ａの、複数個の中間枠体６Ｂ、６Ｃの中、一対の枠体２ａ、２ｂの一方の枠体２ａに隣り合う中間枠体６Ｂに対向する面、又は、複数個の中間枠体６Ｂ、６Ｃの中、一対の枠体２ａ、２ｂの一方の枠体２ａ、２ｂに隣り合う中間枠体６Ｂの一対の枠体２ａ、２ｂの一方の枠体２ａに対向する面の、少なくとも一方の面（この例では、一対の枠体２ａ、２ｂの一方の枠体２ａ）、複数個の中間枠体６Ｂ、６Ｃの中、相隣り合う中間枠体の互いに対向する中間枠体の一方の面と他方の面の少なくとも一方（この例では、中間枠体６Ｂ、６Ｃの中、中間枠体６Ｂの他方の面）、及び、一対の枠体２ａ、２ｂの他方の枠体２ｂの、複数個の中間枠体６Ｂ、６Ｃの中、一対の枠体２ａ、２ｂの他方の枠体２ｂに隣り合う中間枠体６Ｃに対向する面、又は、複数個の中間枠体６Ｂ、６Ｃの中、一対の枠体２ａ、２ｂの他方の枠体２ｂに隣り合う中間枠体６Ｃの一対の枠体の他方に対向する面の、少なくとも一方の面（この例では、中間枠体６Ｃの他方の面）に、切り欠き部（図１１中に示す、切り欠き部５ｃ、５ｄを参照。）を設けているので、これらの切り欠き部（図１１中に示す、切り欠き部５ｃ、５ｄを参照。）を介して、複数の板体３ｃ・・・、３ｄ・・・、３ｅ・・・を、一対の枠体２ａ、２ｂの一方の枠体２ａと、複数個の中間枠体６Ｂ、６Ｃの中、一対の枠体２ａ、２ｂの一方の枠体２ａに隣り合う中間枠体６Ｂとの間、複数個の中間枠体６Ｂ、６Ｃ間の各々、及び、一対の枠体２ａ、２ｂの他方の枠体２ｂと、複数個の中間枠体６Ｂ、６Ｃの中、一対の枠体２ａ、２ｂの他方の枠体２ｂに隣り合う中間枠体６Ｂとの間に嵌め込むことで、一対の枠体２ａ、２ｂの一方の枠体２ａと、複数個の中間枠体６Ｂ、６Ｃの中、一対の枠体２ａ、２ｂの一方の枠体２ａに隣り合う中間枠体６Ｂとの間、複数個の中間枠体６Ｂ、６Ｃ間の各々、及び、一対の枠体２ａ、２ｂの他方の枠体２ｂと、複数個の中間枠体６Ｂ、６Ｃの中、一対の枠体２ａ、２ｂの他方の枠体２ｂに隣り合う中間枠体６Ｃとの間に、複数の板体を容易に嵌め込むことができる。
【０１３２】
また、この雨戸様の保護手段１Ｃにおいて、複数個の中間枠体６Ｂ、６Ｃの各々として、図８に示す中央枠体６を用いた場合にあっては、複数個の中間枠体６Ｂ、６Ｃの各々が伸縮できるようになっており、サッシ４に嵌合手段６ｃ、６ｄを用いて取り付けるようにしているので、サッシ４に後付的に、複数個の中間枠体の各々を取り付けることができる。
【０１３３】
また、この雨戸様の保護手段１Ｃでは、雨戸が不要な際には、サッシ４の外側に設けた一対の枠体２ａ、２ｂの一方の枠体２ａと、複数個の中間枠体６Ｂ、６Ｃの中、一対の枠体２ａ、２ｂの一方の枠体２ａに隣り合う中間枠体６Ｂとの間に嵌め込まれている、複数の板体３ｃ・・・、複数個の中間枠体６Ｂ、６Ｃ間の各々に嵌め込まれている、複数の板体３ｄ・・・、及び、一対の枠体２ａ、２ｂの他方の枠体２ｂと、一対の枠体２ａ、２ｂの他方の枠体２ｂに隣り合う中間枠体６Ｃとの間に嵌め込まれている、複数の板体３ｅ・・・を取り外すことのみならず、サッシ４に嵌合手段（図８に示す嵌合手段６ｃ、６ｄを参照。）により取り付けられている、複数個の中間枠体６Ｂ、６Ｃをサッシ４から取り外すことで、より一層、雨戸の無い窓を、雨戸が無い窓として使用することができる。
【０１３４】
また、この雨戸様の保護手段１Ｃにおいて、複数個の中間枠体６Ｂ、６Ｃの各々として、図１０に示す中央枠体６Ｂを用いた場合にあっては、サッシ４の上部レール枠及び下部レール枠の各々に取り付けた取付部材（図１０中に示す、取付部材１２、１２）の各々に設けられている嵌合孔ｈ１３、ｈ１３の各々に、複数個の中間枠体本体１４の一対の嵌合突起ｐ１５、ｐ１６の各々を嵌め合わせることで、サッシに後付的に、複数個の中間枠体６Ａ・・・を取り付けることができる。
【０１３５】
また、雨戸が不要な際には、サッシ４の外側に設けた一対の枠体2a、２ｂの一方の枠体２ａと、複数個の中間枠体６Ｂ、６Ｃの中、一対の枠体２ａ、２ｂの一方の枠体２ａに隣り合う中間枠体６Ｂとの間に嵌め込まれている、複数の板体３ｃ・・・、複数個の中間枠体６Ｂ、６Ｃ間の各々に嵌め込まれている、複数の板体３ｄ・・・、及び、一対の枠体２ａ、２ｂの他方の枠体２ｂと、一対の枠体２ａ、２ｂの他方の枠体２ｂに隣り合う中間枠体６Ｃとの間に嵌め込まれている、複数の板体３ｅ・・・を取り外すことのみならず、サッシの上部レール枠及び下部レール枠の各々に取り付けた取付部材（図１０に示す取付部材１２、１２）の各々に設けられている嵌合孔ｈ１３、ｈ１３の各々に嵌め合わされている、中央枠体本体１４の一対の嵌合突起ｐ１５、ｐ１６の各々を、嵌合孔ｈ１３、ｈ１３の各々から取り外し、中央枠体本体１４をサッシ４から取り外すことで、より一層、雨戸の無い窓を、雨戸が無い窓として使用することができる。
【０１３６】
尚、発明の実施の形態３では、２個の中間枠体を設けた例について説明したが、これは、単なる例示であって、中間枠体の数は、２以上設けても良いことは、言うまでもない。
【０１３７】
図１２（ａ）及び図１２（ｂ）の各々は、雨戸様の保護手段１、１Ａ、１Ｂ、１Ｃの各々で用いる、複数の枠体を収容する収容ボックスを例示的に示す斜視図である。
【０１３８】
図１２（ａ）に示す、収容ボックス２１は、雨戸様の保護手段１、１Ａ、１Ｂ又は１Ｃで使用する、複数の板体３・・・、３・・・、(３ａ・・・、３ｂ・・・)、又は、(３ｃ・・・、３ｄ・・・、３ｅ・・・)を収容する収容部２２と、収容部２２に対し、着脱自在に設けられた上蓋体２３とを備える。
【０１３９】
この収容ボックス２１は、サッシ４に、複数の板体３・・・、３・・・、(３ａ・・・、３ｂ・・・)、又は、(３ｃ・・・、３ｄ・・・、３ｅ・・・)を使用していない際に、複数の板体３・・・、３・・・、(３ａ・・・、３ｂ・・・)、又は、(３ｃ・・・、３ｄ・・・、３ｅ・・・)を収容部２２内に収容し、その後、上蓋体２３により、収容部２２の開口部を蓋をするように、使用する。
【０１４０】
且つ、この収容ボックス２１は、その上蓋体２３の上面Ｓ２３を、縁又は長椅子等の用途に使用する。
【０１４１】
また、図１２（ａ）に示す、収容ボックス２１では、上蓋体２３を、複数本の角材を横に並べて形成している。
【０１４２】
また、図１２（ｂ）に示す、収容ボックス２１Ａは、雨戸様の保護手段１、１Ａ、１Ｂ又は１Ｃで使用する、複数の板体３・・・、３・・・、(３ａ・・・、３ｂ・・・)、又は、(３ｃ・・・、３ｄ・・・、３ｅ・・・)を収容する収容部２２と、収容部２２に対し、着脱自在に設けられた上蓋体２３とを備える。
【０１４３】
収容ボックス２１Ａは、上蓋体を、一体物で形成している。
【０１４４】
これらの収容ボックス２１、２１Ａは、いずれも、収容部２２内に、複数の板体３・・・、３・・・、(３ａ・・・、３ｂ・・・)、又は、(３ｃ・・・、３ｄ・・・、３ｅ・・・)を収容した後、又は、複数の板体３・・・、３・・・、(３ａ・・・、３ｂ・・・)、又は、(３ｃ・・・、３ｄ・・・、３ｅ・・・)を収容部２２から取り出した後、収容部２２を上蓋体２３で覆い、これを軒先（縁側）に設置すれば、上蓋体２３の上面Ｓ２３を、縁又は長椅子等の用途に使用できる。
【産業上の利用可能性】
【０１４５】
本発明に係る雨戸様の保護手段は、例えば、台風等によって強い風雨が予想され、物が飛んできて、窓ガラスが割れるような事態が予想される場合には、サッシの外側に、雨戸を形成し、窓ガラスが割れるといった事態が生じるのを防止する一方、雨戸が不要な際には、雨戸を取り去り、雨戸の無い窓を、雨戸が無い窓として使用可能であるので、産業上の利用可能性が高い。
【図面の簡単な説明】
【０１４６】
【図１】本発明に係る雨戸様の保護手段の一例の使用例を模式的に示す斜視図である。
【図２】図１に示す雨戸様の保護手段の構成を概略的に示す構成図であり、図２（ａ）は、図１に示す雨戸様の保護手段の一例の構成部材である、一対の枠体を、その一部を省略して概略的に示す斜視図であり、図２（ｂ）は、図１に示す雨戸様の保護手段の構成部材である、図２（ａ）に示す、一対の枠体に嵌め込むようにして用いる、複数の板体の１枚を、その一部を省略して概略的に示す斜視図である。
【図３】図１に示す雨戸様の保護手段の使用方法を模式的に示す斜視図である。
【図４】本発明に係る雨戸様の保護手段の他の一例の使用例を模式的に示す斜視図である。
【図５】図４に示す雨戸様の保護手段の構成を概略的に示す構成図であり、図５（ａ）は、図４に示す雨戸様の保護手段の一例の構成部材である、一対の枠体を、その一部を省略して概略的に示す斜視図であり、図５（ｂ）は、図４に示す雨戸様の保護手段の構成部材である、図５（ａ）に示す、一対の枠体に嵌め込むようにして用いる、複数の板体の１枚を、その一部を省略して概略的に示す斜視図である。
【図６】図４に示す雨戸様の保護手段の使用方法を模式的に示す斜視図である。
【図７】本発明に係る雨戸様の保護手段の他の一例の使用例を模式的に示す斜視図である。
【図８】図７に示す、雨戸様の保護手段の他の一例の構成部材の一例である、中央枠体を、その一部を省略して概略的に示す斜視図である。
【図９】図７に示す、サッシへの雨戸様の保護手段で用いる、中央枠体の取り付け方法の一例を説明する断面図である。
【図１０】図７に示す、雨戸様の保護手段の他の一例の構成部材の他の一例である、中央枠体を、その一部を省略して概略的に示す斜視図である。
【図１１】本発明に係る雨戸様の保護手段の他の一例の使用例を模式的に示す斜視図である。
【図１２】図１２（ａ）及び図１２（ｂ）の各々は、本発明に係る雨戸様の保護手段の、複数の板体を収容する、収容ボックスを概略的に示す斜視図である。
【符号の説明】
【０１４７】
１、１Ａ、１Ｂ、１Ｃ  雨戸様の保護手段
２、枠体
２ａ、一方の枠体
２ｂ  他方の枠体
３・・・、３ａ・・・、３ｂ・・・、３ｃ・・・、３ｄ・・・、３ｅ・・・  複数の板体
５ａ、５ｂ、５ｃ、５ｄ  切り欠き部
６、６Ａ  中央部材
６Ｂ、６Ｃ  中間部材  
２１、２１Ａ  収容ボックス
２２  収容部
２３  上蓋体
Ｓ２３  上蓋体の上面
【図１】
2007051468.tif 000003
【図２】
2007051468.tif 000004
【図３】
2007051468.tif 000005
【図４】
2007051468.tif 000006
【図５】
2007051468.tif 000007
【図６】
2007051468.tif 000008
【図７】
2007051468.tif 000009
【図８】
2007051468.tif 000010
【図９】
2007051468.tif 000011
【図１０】
2007051468.tif 000012
【図１１】
2007051468.tif 000013
【図１２】
2007051468.tif 000014